(57)【要約】【課題】最小限の部品追加で嵌合力低減と異物混入防止とを可能にするハウジング嵌合構造を提供する。【解決手段】回転式係止部５の突起当接面１３に係止突起１８が当接する。回転式係止部５は係止突起１８によって押され、矢印方向へ回転する。回転しはじめた回転式係止部５の突起当接面１３と、これに当接した係止突起１８の係止部当接面２４とが面接触すると、係止突起１８は回転式係止部５の回転に伴って徐々に上方へ押し上げられる。その後、回転式係止部５が一定量回転し、この回転式係止部５の向きが変わると、それまで押し上げられていた係止突起１８は下降しはじめる。そして、係止突起１８が突起当接面１３から離れ、また、回転式係止部５の倒れ面１５がハウジング上面に面接触して倒れが完了すると、係止突起１８は回転式係止部５を通過し係止される。【選択図】図１
2007172840.tif 000002
【特許請求の範囲】
【請求項１】
係止部を有する一方のコネクタハウジングと、前記係止部を係止するための係止突起を有する他方のコネクタハウジングとの嵌合に係るハウジング嵌合構造において、
前記係止部は、ハウジング嵌合過程で回転しハウジング本体側に倒れ込む構造の回転式係止部である
ことを特徴とするハウジング嵌合構造。
【請求項２】
請求項１に記載のハウジング嵌合構造において、
前記回転式係止部は、前記係止突起の当接を受けて回転するとともに、該回転に伴って前記係止突起を通過させる構造を有する
ことを特徴とするハウジング嵌合構造。
【請求項３】
請求項２に記載のハウジング嵌合構造において、
前記回転式係止部は、前記ハウジング本体に対して取り付く回転部と、前記係止突起の当接を受ける突起当接面と、倒れ込んだ後に係止面として機能する突起係止面とを有する
ことを特徴とするハウジング嵌合構造。
【請求項４】
請求項１ないし請求項３いずれか記載のハウジング嵌合構造において、
前記一方のコネクタハウジングと前記他方のコネクタハウジングは、このいずれか一方に突起状の調芯ガイド凸部を有し、いずれか他方に溝状の調芯ガイド凹部を有する
ことを特徴とするハウジング嵌合構造。
【請求項５】
請求項１ないし請求項４いずれか記載のハウジング嵌合構造において、
前記回転式係止部は、前記一方のコネクタハウジングの端子嵌合用開口部を覆うとともに、前記ハウジング嵌合過程での回転に伴って前記端子嵌合用開口部を開放する防塵用扉を有する
ことを特徴とするハウジング嵌合構造。
【請求項６】
請求項５に記載のハウジング嵌合構造において、
前記防塵用扉は折り畳み機構を有する
ことを特徴とするハウジング嵌合構造。
【発明の詳細な説明】
【技術分野】
【０００１】
本発明は、係止部を有する一方のコネクタハウジングと、前記係止部を係止するための係止突起を有する他方のコネクタハウジングとの嵌合に係るハウジング嵌合構造に関する。
【背景技術】
【０００２】
ワイヤハーネスの端末にコネクタを設け、このコネクタを他のワイヤハーネス端末のコネクタと接続することにより、電力の供給や信号の伝送等が行えるようになっている。コネクタ同士の接続状態を維持するためには、一方のコネクタハウジングに係止部を形成するとともに、他方のコネクタハウジングに前記係止部を係止するための係止突起を形成する必要がある。係止部と係止突起は、一方のコネクタハウジングと他方のコネクタハウジングとの嵌合過程において、係止突起が係止部を乗り越えて係止されるような、又は係止部が係止突起を乗り越えて係止されるような構造に形成されている。
【０００３】
コネクタ同士の接続は、雄雌の端子金具により生じる摩擦力の他に、係止突起が係止部を乗り越える際に生じる、互いが擦れ合うような摩擦力も存在することから、比較的大きな嵌合力が必要となっている。尚、嵌合力が大きくなると、作業者の負担が大きくなるという問題点を有している。また、係止部と係止突起との擦れにより、異物が発生し易くなるという問題点を有している（異物混入が懸念される）。
【０００４】
下記特許文献１には、コネクタ同士の接続の際の嵌合力低減に寄与するような係止装置を有するコネクタが開示されている。このコネクタにおける係止装置は、係止部と係止突起との嵌合構造の他に設けられている。係止装置は、一方のコネクタハウジング側に係合凹部を有する揺動アームと、この揺動アームに設けられる圧縮コイルバネとを備えて構成されている。また、係止装置は、他方のコネクタハウジング側に前記係合凹部に対応する係合凸部を備えて構成されている。
【０００５】
係止装置は、一方のコネクタハウジングに他方のコネクタハウジングが嵌合するハウジング過程において、係合凹部に係合凸部が差し込まれ、この状態で揺動アームが押し込まれると、固定軸部を中心にして揺動アームが揺動するとともに、揺動アームに設けられた圧縮コイルバネが圧縮されるように構成されている。また、揺動アームが所定位置まで揺動すると、それまで圧縮されていた状態が解除され、ハウジング嵌合方向に圧縮コイルバネの弾発力が作用するように構成されている。
【０００６】
上記構成において、ハウジング嵌合過程で圧縮コイルバネの弾発力がハウジング嵌合方向に作用すると、この時点から作業者の負担が軽減されることになる。
【特許文献１】特開２００１−１４３８１９号公報
【発明の開示】
【発明が解決しようとする課題】
【０００７】
ところで、上記従来技術あっては、係止部と係止突起との嵌合構造に何ら変わりがないことから、擦れによる異物発生を回避することができないという問題点を有している。また、上記従来技術にあっては、係止装置のために構造が複雑化するという問題点を有している。さらに、上記従来技術にあっては、十分な弾発力を生じさせるために比較的大きな圧縮コイルバネを必要として、ハウジングが大型化するという問題点を有している。
【０００８】
本発明は、上述した事情に鑑みてなされたもので、最小限の部品追加で嵌合力低減と異物混入防止とを可能にするハウジング嵌合構造を提供することを課題とする。
【課題を解決するための手段】
【０００９】
上記課題を解決するためになされた請求項１記載の本発明のハウジング嵌合構造は、係止部を有する一方のコネクタハウジングと、前記係止部を係止するための係止突起を有する他方のコネクタハウジングとの嵌合に係るハウジング嵌合構造において、前記係止部は、ハウジング嵌合過程で回転しハウジング本体側に倒れ込む構造の回転式係止部であることを特徴としている。
【００１０】
また、請求項２記載の本発明のハウジング嵌合構造は、請求項１に記載のハウジング嵌合構造において、前記回転式係止部は、前記係止突起の当接を受けて回転するとともに、該回転に伴って前記係止突起を通過させる構造を有することを特徴としている。
【００１１】
このような特徴を有するそれぞれの本発明によれば、回転式係止部の回転倒れ込みによって係止突起との嵌合力が軽減される。係止突起との嵌合力が軽減されれば、コネクタ全体の嵌合力も低減される。また、本発明によれば、回転式係止部の回転倒れ込みによって係止突起との擦れが低減される。係止突起との擦れが低減されれば、異物の発生も防止される。
【００１２】
請求項３記載の本発明のハウジング嵌合構造は、請求項２に記載のハウジング嵌合構造において、前記回転式係止部は、前記ハウジング本体に対して取り付く回転部と、前記係止突起の当接を受ける突起当接面と、倒れ込んだ後に係止面として機能する突起係止面とを有することを特徴としている。
【００１３】
このような特徴を有する本発明によれば、回転式係止部を一方のコネクタハウジングのハウジング本体に対して取り付けるのみでよく、最小限の部品追加で嵌合力の低減と異物の混入防止とが実現される。
【００１４】
請求項４記載の本発明のハウジング嵌合構造は、請求項１ないし請求項３いずれか記載のハウジング嵌合構造において、前記一方のコネクタハウジングと前記他方のコネクタハウジングは、このいずれか一方に突起状の調芯ガイド凸部を有し、いずれか他方に溝状の調芯ガイド凹部を有することを特徴としている。
【００１５】
このような特徴を有する本発明によれば、一方のコネクタハウジングと他方のコネクタハウジングとの嵌合がスムーズに行われる。すなわち、ハウジング嵌合過程において、調芯ガイド凸部は調芯ガイド凹部に案内されることから、ハウジング同士の嵌合がスムーズに行われる。
【００１６】
請求項５記載の本発明のハウジング嵌合構造は、請求項１ないし請求項４いずれか記載のハウジング嵌合構造において、前記回転式係止部は、前記一方のコネクタハウジングの端子嵌合用開口部を覆うとともに、前記ハウジング嵌合過程での回転に伴って前記端子嵌合用開口部を開放する防塵用扉を有することを特徴としている。
【００１７】
このような特徴を有する本発明によれば、一方のコネクタハウジングの内部に埃等が入り込まないような構造になる。すなわち、外部からの異物混入が防止される。
【００１８】
請求項６記載の本発明のハウジング嵌合構造は、請求項５に記載のハウジング嵌合構造において、前記防塵用扉は折り畳み機構を有することを特徴としている。
【００１９】
このような特徴を有する本発明によれば、防塵用扉を有していても一方のコネクタハウジングと他方のコネクタハウジングとの嵌合がスムーズに行われる。すなわち、ハウジング嵌合過程において、防塵用扉は嵌合の妨げとならないよう折り畳まれることから、ハウジング同士の嵌合がスムーズに行われる。
【発明の効果】
【００２０】
請求項１に記載された本発明によれば、嵌合力の低減と異物の混入防止とを実現することができる。請求項２に記載された本発明によれば、回転式係止部の回転倒れ込みによって係止突起との嵌合力を軽減することができる。また、回転式係止部の回転倒れ込みによって係止突起との擦れを低減し、異物発生を防止することができる。請求項３に記載された本発明によれば、最小限の部品追加で嵌合力の低減と異物の混入防止とを実現することができる。
【００２１】
請求項４、６に記載された本発明によれば、一方のコネクタハウジングと他方のコネクタハウジングとの嵌合をスムーズに行えるようにすることができる。請求項５に記載された本発明によれば、外部からの異物混入を防止することができる。
【発明を実施するための最良の形態】
【００２２】
以下、図面を参照しながら説明する。図１は本発明のハウジング嵌合構造の一実施の形態を示す模式図であり、（ａ）は嵌合前の状態を示す断面図、（ｂ）は嵌合後の状態を示す断面図である。
【００２３】
図１において、引用符号１及び２は、各々、ワイヤハーネスの端末に設けられて電気的な接続に用いられる雌コネクタ及び雄コネクタを示している。雌コネクタ１は、絶縁性を有する合成樹脂製の一方のコネクタハウジング３と、導電性を有する複数の雌端子金具４と、本発明の要旨となる回転式係止部５とを備えて構成されている。また、雄コネクタ２は、絶縁性を有する合成樹脂製の他方のコネクタハウジング６と、導電性を有する複数の雄端子金具７とを備えて構成されている。以下、各構成部材について説明する。
【００２４】
一方のコネクタハウジング３には、端子収容室８が複数形成されている。この端子収容室８は、ハウジング前面からハウジング後面にかけて貫通するように形成されている。端子収容室８は、上下二段に配置形成されている。端子収容室８には、雌端子金具４を係止するためのランスやストッパ等が形成されている（図示省略）。端子収容室８は、ハウジング前面に開口する部分が端子嵌合用開口部となっている。また、ハウジング後面に開口する部分が端子挿入用開口部となっている。
【００２５】
ハウジング前面は、平坦に形成されている。この平坦なハウジング前面の上端中央には、回転式係止部５が取り付けられている。回転式係止部５については後述する。ハウジング上面は、少なくとも回転式係止部５に対応する部分が平坦に形成されている。ハウジング左右両側面には、調芯ガイド凸部９がそれぞれ形成されている。この各調芯ガイド凸部９は、突起状に形成されており、他方のコネクタハウジング６の後述する調芯ガイド凹部１０に差し込まれて案内されるようになっている。各調芯ガイド凸部９は、ハウジング左右両側面の下方に形成されている。調芯ガイド凸部９及び調芯ガイド凹部１０は、ハウジング同士の嵌合に必要な部分として形成されている。
【００２６】
雌端子金具４は、ワイヤハーネスを構成する電線１１の端末に設けられている。雌端子金具４は、電線１１の導体を加締めることにより電気的に接続されている。このような雌端子金具４は、端子収容室８に収容固定され、その後この状態で雄コネクタ２の対応する雄端子金具７が差し込まれると、電気的な接続がなされるようになっている。
【００２７】
回転式係止部５は、ハウジング嵌合過程で回転しハウジング本体側に倒れ込む構造の係止部であって、一方のコネクタハウジング３に対し別体のものとして備えられている。回転式係止部５は、回転部１２と、突起当接面１３と、突起係止面１４と、倒れ面１５と、回転規制部１６とを有して例えば図示のような形状に形成されている。回転式係止部５は、特に限定するものではないが、一方のコネクタハウジング３や他方のコネクタハウジング６と同じ材料を用いて成形されている。
【００２８】
回転部１２は、一方のコネクタハウジング３に対して回転自在に取り付く部分として形成されている。例えば、回転部１２をピン状の回転軸として形成すると、一方のコネクタハウジング３にはこれに対応して軸受け部１７が形成されるようになっている（軸と軸受けとが逆であってもよいものとする。尚、回転式係止部５が回転すれば、機構は特に限定されないものとする）。
【００２９】
突起当接面１３は、倒れ面１５に対して傾斜する傾斜面として形成されている。突起当接面１３は、他方のコネクタハウジング６の後述する係止突起１８の当接を受ける面として形成されている。突起当接面１３の傾斜に関しては、後述する係止突起１８の回転式係止部５に対する通過や、係止突起１８自体の傾斜面に配慮して設定されるものとする。突起当接面１３は、図１（ａ）の場合、右下がりの方向に傾斜するように形成されている。
【００３０】
突起係止面１４は、回転式係止部５が倒れ込んだ後に係止面として機能するように配置形成されている。突起係止面１４は、突起当接面１３と倒れ面１５との交点側（実際には交差しない）に配置形成されている。突起係止面１４は、平坦な面であって、倒れ面１５に対し直交するように配置形成されている。
【００３１】
倒れ面１５は、回転式係止部５が倒れ込んだ後に一方のコネクタハウジング３のハウジング上面に面接触する部分として形成されている（面接触して位置が安定する）。回転規制部１６は、倒れ方向の逆に回転しないように機能する部分として形成されている。回転規制部１６は、一方のコネクタハウジング３のハウジング前面に当接するように形成されている。
【００３２】
雌コネクタ１は、一方のコネクタハウジング３に回転式係止部５のみを追加した点が従来と異なっている（従来、単なる突起としてハウジングから一体に突出していた係止部が、本発明では回転式の係止部となっている）。尚、雄コネクタ２は、雌コネクタ１のような追加部材がなく、基本的に構造変更もない一般的なものとなっている。雄コネクタ２の構成は次のようになっている。
【００３３】
雄コネクタ２における他方のコネクタハウジング６には、ハウジング収納空間１９と、複数の端子収容室２０と、ロッキングアーム２１とが形成されている。ハウジング収納空間１９は、一方のコネクタハウジング３が差し込まれる部分として形成されている。ハウジング収納空間１９は、他方のコネクタハウジング６のハウジング前面及びハウジング上面を開口するように形成されている。
【００３４】
ハウジング収納空間１９には、この下方に調芯ガイド凹部１０が一対形成されている。各調芯ガイド凹部１０は、溝状に形成されている。各調芯ガイド凹部１０は、雌コネクタ１の各調芯ガイド凸部９の位置に合わせて形成されている。
【００３５】
端子収容室２０は、ハウジング後面からハウジング収納空間１９にかけて貫通するように形成されている。端子収容室２０は、上下二段に配置形成されている。端子収容室２０には、雄端子金具７を係止するためのランスやストッパ等が形成されている（図示省略）。端子収容室２０は、ハウジング収納空間１９に開口する部分から雄端子金具７の電気接触部が突出するように形成されている。端子収容室２０は、ハウジング後面に開口する部分が端子挿入用開口部となっている。
【００３６】
ロッキングアーム２１は、基端部２２と、この基端部２２に連続するアーム本体２３と、アーム本体２３の先端に連続する係止突起１８とを有する片持ちアーム状に形成されている。ロッキングアーム２１は、可撓性を有している。ロッキングアーム２１は、この基端部２２がハウジング上面後方に連成されている。また、係止突起１８がハウジング収納空間１９の上方に位置するように形成されている。アーム本体２３は、ハウジング上面に対して所定の間隔をあけるように配置されている。
【００３７】
係止突起１８は、アーム本体２３の先端から下方に突出するように形成されている。係止突起１８は、雌コネクタ１の回転式係止部５の位置に合わせて配置形成されている。係止突起１８は、所定の傾斜となる係止部当接面２４を有している。係止部当接面２４は、図１の場合、右下がりの方向に傾斜するように形成されている。また、係止突起１８は、被係止面２５を有している。被係止面２５は、図１の場合、上下方向（鉛直方向）となるように形成されている。
【００３８】
雄端子金具７は、ワイヤハーネスを構成する電線２６の端末に設けられている。雄端子金具７は、電線２６の導体を加締めることにより電気的に接続されている。雄端子金具７は、端子収容室２０に収容固定されると、この電気接触部がハウジング収納空間１９に突出するようになっている。
【００３９】
次に、上記構成に基づきながら雌コネクタ１と雄コネクタ２の電気的な接続について説明する。尚、雌コネクタ１を雄コネクタ２側へ移動させて接続を行うか、雄コネクタ２を雌コネクタ１側へ移動させて接続を行うかは、特に限定しないものとする。
【００４０】
雌コネクタ１と雄コネクタ２の接続を開始すると、雌コネクタ１における回転式係止部５の突起当接面１３に雄コネクタ２の係止突起１８が当接する。回転式係止部５は、当接した係止突起１８によって押され、矢印方向へ回転する。すなわち、回転式係止部５は、この倒れ面１５が一方のコネクタハウジング３のハウジング上面に近づく方向へ倒れ込む。回転しはじめた回転式係止部５の突起当接面１３と、これに当接した係止突起１８の係止部当接面２４とが面接触すると、係止突起１８は回転式係止部５の回転に伴って徐々に上方へ押し上げられる。
【００４１】
その後、回転式係止部５が一定量回転し、この回転式係止部５の向きが変わると、それまで押し上げられていた係止突起１８は下降しはじめる。そして、係止突起１８が突起当接面１３から離れ、また、回転式係止部５の倒れ面１５がハウジング上面に面接触して倒れが完了すると、係止突起１８は回転式係止部５を通過する。係止突起１８は、この被係止面２５が回転式係止部５の突起係止面１４に引掛かり係止される。
【００４２】
ハウジング嵌合過程においては、一方のコネクタハウジング３の各調芯ガイド凸部９が他方のコネクタハウジング６の対応する調芯ガイド凹部１０に差し込まれて案内される。雌端子金具４には、対応する雄端子金具７が差し込まれて電気的な接続が完了する。
【００４３】
以上、本発明によれば、回転式係止部５の回転倒れ込みによって係止突起１８との嵌合力を従来よりも軽減することができる。係止突起との嵌合力を従来よりも軽減することができれば、コネクタ全体の嵌合力も低減することができる。また、本発明によれば、回転式係止部５の回転倒れ込みによって係止突起１８との擦れを従来よりも低減することができる。係止突起との擦れを従来よりも低減することができれば、異物の発生も防止することができる。
【００４４】
本発明によれば、回転式係止部５のみを追加するハウジング嵌合構造であることから、最小限の部品追加で嵌合力の低減と異物の混入防止とを実現することができる。
【００４５】
続いて、図２ないし図４を参照しながら本発明のハウジング嵌合構造の他の一実施の形態を説明する。図２は他の一実施の形態を示す模式図であり、嵌合前の状態を示す断面図である。また、図３はハウジング嵌合過程での状態を示す断面図、図４は嵌合後の状態を示す断面図である。
【００４６】
図２ないし図４において、引用符号３１及び３２は、各々、ワイヤハーネスの端末に設けられて電気的な接続に用いられる雌コネクタ及び雄コネクタを示している。雌コネクタ３１は、絶縁性を有する合成樹脂製の一方のコネクタハウジング３３と、上記形態同様の複数の雌端子金具４と、回転式係止部３４と、防塵用扉３５とを備えて構成されている。また、雄コネクタ３２は、絶縁性を有する合成樹脂製の他方のコネクタハウジング３６と、上記形態同様の雄端子金具７とを備えて構成されている。以下、各構成部材について説明する。
【００４７】
一方のコネクタハウジング３３には、上記形態同様の端子収容室８が複数形成されている。この端子収容室８は、横一列に並ぶように形成されている。端子収容室８は、一段だけ形成されている。端子収容室８は、ハウジング前面に開口する部分が端子嵌合用開口部となっている。また、ハウジング後面に開口する部分が端子挿入用開口部となっている。
【００４８】
ハウジング前面は、平坦に形成されている。この平坦なハウジング前面の上端中央には、回転式係止部３４が取り付けられている。回転式係止部３４については後述する。ハウジング上面は、少なくとも回転式係止部３４に対応する部分が平坦に形成されている。ハウジング左右両側面には、上記形態同様の調芯ガイド凸部９がそれぞれ形成されている。
【００４９】
回転式係止部３４は、ハウジング嵌合過程で回転しハウジング本体側に倒れ込む構造の係止部であって、一方のコネクタハウジング３３に対し別体のものとして備えられている。回転式係止部３４は、回転部１２と、突起当接面１３と、突起係止面１４と、倒れ面１５と、回転規制部３７とを有して例えば図示のような形状に形成されている。回転式係止部３４は、上記形態の回転式係止部５に対して回転規制部３７のみが異なっている。すなわち、回転規制部３７は、上記形態の回転規制部１６よりも長く形成され、また、先端に回転軸のような折り畳み機構３８が設けられて防塵用扉３５が回転自在に連結する点が異なっている。
【００５０】
防塵用扉３５は、一方のコネクタハウジング３３の端子嵌合用開口部を覆うとともに、後述するハウジング嵌合過程での回転式係止部３４の回転に伴って前記端子嵌合用開口部を開放する部分として設けられている。防塵用扉３５は、壁状に形成されている。防塵用扉３５は、折り畳み機構３８と、他方のコネクタハウジング３６の後述する折り畳み誘導面３９とによって、図４に示すような状態に折り畳まれるようになっている。
【００５１】
雄コネクタ３２における他方のコネクタハウジング３６には、上記形態同様のハウジング収納空間１９と、複数の端子収容室２０と、ロッキングアーム２１とが形成されている。また、他方のコネクタハウジング３６には、防塵用扉３５を折り畳むための折り畳み誘導面３９が形成されている。ハウジング収納空間１９には、この下方に調芯ガイド凹部１０が一対形成されている。折り畳み誘導面３９は、ハウジング収納空間１９の奥部に形成されている。
【００５２】
端子収容室２０は、横一列に並ぶように形成されている。端子収容室２０は、一段だけ形成されている。端子収容室２０は、ハウジング収納空間１９に開口する部分から雄端子金具７の電気接触部が突出するように形成されている。端子収容室２０は、ハウジング後面に開口する部分が端子挿入用開口部となっている。
【００５３】
ロッキングアーム２１は、基端部２２と、この基端部２２に連続するアーム本体２３と、アーム本体２３の先端に連続する係止突起１８とを有する片持ちアーム状に形成されている。ロッキングアーム２１は、上記形態同様に配置形成されている。
【００５４】
上記構成に基づきながら雌コネクタ３１と雄コネクタ３２の電気的な接続について説明する。
【００５５】
雌コネクタ３１と雄コネクタ３２の接続を開始すると、雌コネクタ３１における回転式係止部３４の突起当接面１３に雄コネクタ３２の係止突起１８が当接する。回転式係止部３４は、当接した係止突起１８によって押され、矢印方向へ回転する。すなわち、回転式係止部３４は、この倒れ面１５が一方のコネクタハウジング３３のハウジング上面に近づく方向へ倒れ込む。回転しはじめた回転式係止部３４の突起当接面１３と、これに当接した係止突起１８の係止部当接面２４とが面接触すると、係止突起１８は回転式係止部３４の回転に伴って徐々に上方へ押し上げられる。
【００５６】
回転式係止部３４が回転すると、これに連続する防塵用扉３５が上方へ持ち上げられる。防塵用扉３５が上方へ持ち上げられると、一方のコネクタハウジング３３の端子嵌合用開口部が開放される（この時まで一方のコネクタハウジング３３の内部は防塵される）。
【００５７】
その後、回転式係止部３４が一定量回転し、この回転式係止部３４の向きが変わると、それまで押し上げられていた係止突起１８は下降しはじめる。そして、係止突起１８が突起当接面１３から離れ、また、回転式係止部３４の倒れ面１５がハウジング上面に面接触して倒れが完了すると、係止突起１８は回転式係止部３４を通過する。係止突起１８は、この被係止面２５が回転式係止部３４の突起係止面１４に引掛かり係止される。
【００５８】
ハウジング嵌合過程においては、一方のコネクタハウジング３３の各調芯ガイド凸部９が他方のコネクタハウジング３６の対応する調芯ガイド凹部１０に差し込まれて案内される。雌端子金具４には、対応する雄端子金具７が差し込まれて電気的な接続が完了する。防塵用扉３５は、回転式係止部３４の回転に伴い持ち上げられ、その後、折り畳み機構３８と折り畳み誘導面３９の当接とによって折り畳まれる。
【００５９】
以上、本発明によれば、上記形態同様の効果を奏するのは勿論のこと、一方のコネクタハウジング３３の内部への防塵もすることができる。すなわち、外部からの異物混入も防止することができる。
【００６０】
その他、本発明は本発明の主旨を変えない範囲で種々変更実施可能なことは勿論である。
【図面の簡単な説明】
【００６１】
【図１】本発明のハウジング嵌合構造の一実施の形態を示す模式図であり、（ａ）は嵌合前の状態を示す断面図、（ｂ）は嵌合後の状態を示す断面図である。
【図２】本発明のハウジング嵌合構造の他の一実施の形態を示す模式図であり、嵌合前の状態を示す断面図である。
【図３】ハウジング嵌合過程での状態を示す断面図である。
【図４】嵌合後の状態を示す断面図である。
【符号の説明】
【００６２】
１  雌コネクタ
２  雄コネクタ
３  一方のコネクタハウジング
４  雌端子金具
５  回転式係止部
６  他方のコネクタハウジング
７  雄端子金具
８、２０  端子収容室
９  調芯ガイド凸部
１０  調芯ガイド凹部
１１、２６  電線
１２  回転部
１３  突起当接面
１４  突起係止面
１５  倒れ面
１６  回転規制部
１７  軸受け部
１８  係止突起
１９  ハウジング収納空間
２１  ロッキングアーム
２２  基端部
２３  アーム本体
２４  係止部当接面
２５  被係止面
３４  回転式係止部
３５  防塵用扉
３８  折り畳み機構
３９  折り畳み誘導面
【図１】
2007172840.tif 000003
【図２】
2007172840.tif 000004
【図３】
2007172840.tif 000005
【図４】
2007172840.tif 000006